(57)【特許請求の範囲】
【請求項１】
ロータリー耕耘装置の耕耘カバー１２の後方に連設する後部カバーＲＣであって、該耕耘カバー１２の後端の上下回動軸１ａを枢支点として、その後方に連接カバー１を上下回動可能に連設し、該連接カバー１後端より後方に弾性体板よりなる中間カバー２を連設し、該中間カバー２後端より後方に接地カバー３を連設してなるものにおいて、該中間カバー２と接地カバー３との間に連結支持体４を架設し、該連結支持体４と後部カバーＲＣの接地カバー３との間には筒状弾性材６が介設されており、該筒状弾性材６は、ゴム、樹脂等より構成し、連結支持体４側の筒状孔と接地カバー３側の筒状ボス７との隙間に配置し、該後部カバーＲＣを、該筒状弾性材６の弾性変形にて、該連結支持体４に対して左右揺動可能としたことを特徴とするロータリー耕耘装置の後部カバー。
【請求項２】
請求項１記載のロータリー耕耘装置の後部カバーにおいて、連結支持体４を平面視Ｕ字状に構成し、かつ、該連結支持体４に囲まれる位置にて、該中間カバー２に、通常時は閉口状となっている軸体嵌挿用の嵌挿孔２ａを穿設したことを特徴とするロータリー耕耘装置の後部カバー。
【請求項３】
請求項１記載のロータリー耕耘装置の後部カバーにおいて、連接カバー１と該接地カバー３との間にて、左右中心付近には連結支持体４を架設し、左右寄りの位置にはターンバックル式の補助連結ロッド１０を架設して、該中間カバー２を、側面視湾曲状に固定したことを特徴とするロータリー耕耘装置の後部カバー。
【発明の詳細な説明】
【０００１】
【産業上の利用分野】
本発明は、農用トラクターに装着して圃場を耕耘するロータリー耕耘装置において、耕耘後の圃場表面をある程度均平するために取り付けられる後部カバーの構成に関する。
【０００２】
【従来の技術】
従来、トラクター等の移動農機の後部に装着するロータリー耕耘装置で、耕耘後の圃場表面を粗く均平する如く、後部カバーを耕耘カバーより後方に連設したものは、例えば特開平６−３０３８０２に示すように公知となっており、この中で、該耕耘カバー後端を上下回動軸として、その後方に連接カバーを連設し、該連接カバー後端より後方に弾性体板よりなる中間カバーを連設し、該中間カバー後端より後方に接地カバーを連設してなる後部カバーも公知となっている。
【０００３】
また、後部カバーは、耕耘速度のそれほど速くない元々のロータリー耕耘装置においては、耕耘カバーに対して、上下回動のみ可能として、左右揺動はしなかった。しかし、昨今の耕耘速度の高速化に伴い、耕耘後の圃場における耕深の変動や均平の不足、また振動の増加といった弊害を生ずることとなったことから、後部カバーを、ロータリー耕耘装置の本体、即ち耕耘カバーに対して左右揺動可能とするようになった。そして、この後部カバーの左右揺動に関しては、例えば特開平６−１６９６１１に示すように該耕耘カバー側に設けた筒体に、該後部カバーより突設される軸体を摺動自在に嵌挿し、該軸体の摺動に伴って、該軸体回りに後部カバーが揺動する構成としていた。また、この軸体の配設位置は、通常、後部カバーの左右寄りの位置に各々設けていた。
【０００４】
また、従来のロータリー耕耘装置においては、耕耘爪後方に畝立て器を配設するため、後部カバーに畝立て器の軸部を嵌挿する孔を、金属製のカバー部分、例えば前記の連接カバーに穿設していた。
【０００５】
【発明が解決しようとする課題】
従来のロータリー耕耘装置における後部カバーの左右揺動構成では、軸体の筒体における摺動により、必ず摺動部分の摩耗が生じ、磨耗によるクリアランスの増大が騒音の原因となっていた。また、摺動部には潤滑剤の充填を要するが、代掻き作業等では、この部分にも泥水の飛散が激しく、潤滑剤の溶け出しや泥水の浸入を防ぐため、強固なシールを施したり、或いはグリスを施したりしなければならなかった。グリスはシールに比べれば安価で簡便な方法だが、圃場への油成分の溶け出しという問題が伴う。そして、後部カバーの左右揺動は、該軸体の摺動に際して、後部カバーが該軸体回りに揺動するものであるから、軸体には必ず曲げモーメントが加わり、軸体の変形が生じやすく、小さな変形でも揺動動作の妨げとなっていた。
【０００６】
また、畝立て器の軸部を嵌挿する孔が金属製のカバーに穿設されているので、畝立て器を付設しない場合には、該孔に土壌が入り込んで、均平効果を低減してしまう。また、畝立て器を付設した場合には、軸部と孔との間にシールを施して隙間をなくし、また、軸部を固定しなければならない。
【０００７】
また、弾性体板である中間カバーは、従来、平面状であり、接地カバーが左右揺動する際には、中間カバーがこの左右揺動に湾曲して追随するに時間がかかり、接地カバーの左右揺動性が悪くなっていた。また、作業中に中間カバーの裏面に土壌が付着して、均平効果を低減するという事態を発生していた。
【０００８】
【課題を解決するための手段】
本発明は、以上の課題を解決するため、次のような手段を用いるものである。
請求項１においては、ロータリー耕耘装置の耕耘カバー１２の後方に連設する後部カバーＲＣであって、該耕耘カバー１２の後端の上下回動軸１ａを枢支点として、その後方に連接カバー１を上下回動可能に連設し、該連接カバー１後端より後方に弾性体板よりなる中間カバー２を連設し、該中間カバー２後端より後方に接地カバー３を連設してなるものにおいて、該中間カバー２と接地カバー３との間に連結支持体４を架設し、該連結支持体４と後部カバーＲＣの接地カバー３との間には筒状弾性材６が介設されており、該筒状弾性材６は、ゴム、樹脂等より構成し、連結支持体４側の筒状孔と接地カバー３側の筒状ボス７との隙間に配置し、該後部カバーＲＣを、該筒状弾性材６の弾性変形にて、該連結支持体４に対して左右揺動可能としたものである。
【０００９】
請求項２においては、請求項１記載のロータリー耕耘装置の後部カバーにおいて、連結支持体４を平面視Ｕ字状に構成し、かつ、該連結支持体４に囲まれる位置にて、該中間カバー２に、通常時は閉口状となっている軸体嵌挿用の嵌挿孔２ａを穿設したものである。
【００１０】
請求項３においては、請求項１記載のロータリー耕耘装置の後部カバーにおいて、連接カバー１と該接地カバー３との間にて、左右中心付近には連結支持体４を架設し、左右寄りの位置にはターンバックル式の補助連結ロッド１０を架設して、該中間カバー２を、側面視湾曲状に固定したものである。
【００１１】
【作用】
後部カバーの左右揺動は、左右中央付近における支持体と後部カバーとの間の弾性体の弾性変形によるものであり、摺動部が無くなり、また、左右中央付近の一つの支持体を左右揺動中心とするので、左右寄りに二つの揺動中心を設ける必要がない。更に、弾性変形により後部カバーに伝播する振動を吸収し、従って、該後部カバーより耕耘カバー、即ちロータリー耕耘装置本体に伝播する振動を低減している。
【００１２】
また、接地カバーは、連結支持体を中心にして左右揺動可能に支持されるものである。そして、弾性体板である中間カバーに、畝立て器等の部材の軸体を嵌挿する孔を、通常時は閉口状となるよう穿設しているので、畝立て器等を付設しない通常時には弾性にて閉口状となっているので、孔のない中間カバーと同様の均平効果を得られ、また、畝立て器等を付設した場合には、その軸部を中間カバーの該孔に嵌挿して取り付けることができ、この際、中間カバーの弾性によって、孔と軸部との間がシールされて、軸部を固定し、また、隙間が密閉される。更に、軸部周囲を囲むように該連結支持体が配設されていることとなり、付設した畝立て器等の補強部材となる。
【００１３】
また、後部カバーの左右寄り位置には、ターンバックル式の補強連結ロッドを配設しており、左右揺動の際に捩じれ方向に力が加わっても、ターンバックルである該ロッドの伸縮に該捩れ力が作用し、ロッドの変形が生じない。更に、中間カバーを予め湾曲形状とすることで、接地カバーの左右揺動への追随性が良くなり、また、裏面に付着する土砂もすぐに剥離される。
【００１４】
【実施例】
次に、添付の図面に示した実施例に基づいて、本発明の構成を説明する。図１はロータリー耕耘装置における後部カバーの構成を示す側面一部断面図、図２は後部カバー部分の側面断面図、図３は後部カバーの部分平面図、図４は連結支持体４による接地カバー３支持構造を示す正面断面図、図５は図３におけるＸ−Ｘ矢視図、図６は図３におけるＹ−Ｙ矢視図、図７は図３におけるＺ−Ｚ矢視図である。
【００１５】
ロータリー耕耘装置の全体構成を図１より説明する。前部には、トラクター後部に装着するための装着用ブラケット１４等が配設されていて、耕耘爪を放射状に突設する耕耘爪軸の上部を耕耘カバー１２が被覆している。その後端がボス部となっていて、鋼製等で左右長の連接カバー１の前端に左右方向に固設された上下回動軸１ａを軸支している。該連接カバー１の左右端の外側には、該耕耘カバー１２の後端に連接固設された側板１３・１３が立状に配設されていて、側方を被覆している。
【００１６】
該連接カバー１の裏面には、左右幅が連接カバーと略同一幅のゴム、樹脂等の中間カバー２を固設して、該連接カバー１後端より後方に延設している。更に該中間カバー２の後端部を、鋼製等で左右長（該連接カバー１及び中間カバー２の左右幅よりやや長め）の接地カバー３前部の裏面に固設している。これらの連接カバー１、中間カバー２、接地カバー３にて後部カバーＲＣを構成するものである。なお、該接地カバー３は側面視下方湾曲状となっていて、直接地面に接するカバーである。また、中間カバー２は、前記の如く弾性体板であって、側面視上方湾曲状（下方湾曲状でもよい。）に固定されているが、これについては後に詳説する。
【００１７】
連接カバー１の左右中央付近には、平面視図３の如くＵ字状の連結支持体４の前端部が螺止されており、該連結支持体４の後端には水平状の支持板部４ａが固設されていて、該支持板部４ａの下面に、図４の如く、正面視Ｔ字状の連結部材５が螺止されて垂設されている。該連結部材５の直左右には、接地カバー３より突設される連結板部３ａ・３ａが配置されており、該連結部材５の該連結板部３ａ・３ａ間に挟まれた部分には、前後に孔が穿設されていて、該孔内に筒状ボス７・７を左右方向に貫設しており、該筒状ボス７・７表面と該連結部材５の孔との隙間には、ゴム、樹脂等よりなる筒状弾性材６・６が介設されている。そして、該接地カバー３の連結板部３ａ・３ａと該連結部材５の筒状ボス７・７に、ボルト８を嵌挿してナット９にて螺止している。
【００１８】
更に、図３の如く、該連結支持体４の両側、即ち後部カバーＲＣの左右寄りの部位において、連接カバー１の後端と、接地カバー３の前端に互いに対峙するブラケット１ｂ・３ｂを突設し、前後に対峙するブラケット１ｂ・３ｂ間に、図３及び図７にて図示するターンバックル式の補助連結ロッド１０を枢結架設している。こうして、接地カバー３は、左右中央部の連結支持体５との連結部位を中心に左右揺動するものであり、また、耕耘カバー１２側、即ちロータリー耕耘装置本体に左右揺動が伝播せぬよう、その揺動量を抑制すべく、左右寄りの部位に補助連結ロッド１０・１０にて支持している構成となっている。なお、接地カバー３の左右揺動に伴って、左右寄り位置の補助連結ロッド１０・１０には、捩れ力がかかるが、ターンバックルなので、捩れがそのままロッドの伸縮作用に転換される。
【００１９】
なお、該連結支持体４と該補助連結ロッド１０との間には、図１、図３、図６の如く、従来の後部カバーＲＣにおける支持ロッド１１の後端を枢支するためのブラケット３ｃが突設されていて、それに対峙するように、耕耘カバー１２の上部に摺動用ブラケット１２ａが立設されている。該摺動用ブラケット１２ａの上端部は、支持ロッド１１を摺動自在に嵌挿できるボス部となっていて、支持ロッド１１にて後部カバーＲＣを支持する場合には、左右の支持ロッド１１・１１を、該ブラケット１２ａ・１２ａの各ボス部に嵌挿し、また、その後端を該ブラケット３ｃ・３ｃに枢支するものである。こうして、後部カバーＲＣを、連結支持体４と補助連結ロッド１０・１０とで支持するか、支持ロッド１１・１１にて支持するかを選択できるようになっている。
【００２０】
なお、連結支持体４と補助連結ロッド１０・１０にて後部カバーＲＣを支持する場合、連結支持体４の前後長さは短めになっているので、中間カバー２を前記の如く側面視湾曲状にしなければ、連接カバー１と接地カバー３との間に架設できない。逆に言えば、連結支持体４にて接地カバー３を支持することで、中間カバー２が湾曲状（上方湾曲状、下方湾曲状、どちらでもよい。）になる。更に、補助連結ロッド１０も、図７にて示すように、該中間カバー２の湾曲を保持する如く、短めに長さ調節して、連結カバー１・接地カバー３間に架設することで、該中間カバー２を側面視湾曲状の状態に固定できる。中間カバー２をこの形状に保持して作業をすることで、作業中に中間カバー２の裏面に付着する土壌が、湾曲部にて剥離されるので、後部カバーＲＣの均平効果をいつまでも維持できるのである。また、接地カバー３は、連接カバー１に対して左右揺動するが、その間の中間カバー２を湾曲形状にしておけば、この左右揺動に、湾曲部の曲率半径を変動させて中間カバー２が変形して追随するので、該接地カバー３の円滑な左右揺動が保持できるのである。
【００２１】
また、連接カバー１と接地カバー３との間における中間カバー２の、該連結支持体４にて囲まれた左右中央部には、図３の如く、嵌挿孔２ａが穿設されていて、該中間カバー２が弾性体板であることから、該嵌挿孔２ａに何も嵌挿しない平時には閉口状となっていて、作業中に該嵌挿孔２ａに土砂が入り込んで、均平効果を低減する事はない。
【００２２】
この嵌挿孔２ａには、図１及び図２の如く、ロータリー耕耘装置の耕耘爪後方に畝立て器１６を装着する場合にその軸部１６ｂを嵌挿するためのものである。畝立て器１６は、耕耘爪にて耕耘後の土壌を左右に掻き分けて畝を形成するための畝立て板１６ａより上方に、長さ調節可能な軸部１６ｂを突設し、その上端部には装着用ブラケット１６ｃを固設したものであり、装着に際しては、前記装着用ブラケット１４より後方に延設した耕深調節用フレーム１５の後端に該装着ブラケット１６ｃを固定し、該軸部１６ｂを該後部カバーＲＣの中間カバー２における嵌挿孔２ａに嵌挿して、その下方における畝立て板１６ａをロータリー耕耘装置の耕耘爪後方に配置するものである。該畝立て器１６の装着時においては、嵌挿孔２ａは、中間カバー２が弾性材であるので、内側への収縮力があり、軸部１６ｂと嵌挿孔２ａとの隙間がなく、また、その収縮力にて軸部１６ｂを支持している。即ち、従来必要だった後部カバーにおける嵌挿孔と軸部との間のシール構造が不要である。また、装着した軸部１６ｂの周囲は、連結支持体４にて囲まれていることになり、該軸部１６ｂを補強する部材となる。
【００２３】
【発明の効果】
本発明は、以上のように構成したので、次のような効果を奏する。
即ち、請求項１の如く構成したので、後部カバーは、耕耘カバー、即ちロータリー耕耘装置本体に対して左右揺動に支持されるので、耕耘後の左右均平を確保できる。
そして、この後部カバーを左右揺動可能に支持する構成において、摺動部が形成されておらず、従って、従来の摺動部における摩耗による振動や騒音の弊害が解消される。また、潤滑剤やシールを施す必要もなく、構造が簡単で、耐久性があり、信頼度の高い後部カバーの左右揺動支点を得られる。
そして、左右揺動支点において、後部カバーを弾性体板を介して支持しているので、落下や衝突等、突発的な過大負荷に対しての揺動支点部の塑性変形や破損のおそれが大幅に低減される。
また、地表面の起伏による振動、或いは耕耘爪により飛ばされた土塊の衝突による振動が、弾性体により吸収されて、後部カバーより耕耘カバー、即ちロータリー耕耘装置本体への振動の伝播が少なくなる。従って、ロータリー耕耘装置自体の振動が低減され、トラクターへの装着部分における緩みや疲労の発生も低減できるのである。
【００２４】
また、請求項２の如く構成したので、接地カバーは、連結支持体を中心として、左右揺動自在に支持されているので、左右均平度が増大するものであり、また従来のように摺動自在のロッドを後部カバーと耕耘カバーとの間に架設する方法と違って、連接カバーには固定的に固設できて、構造が堅固なので、強度があり耐久性が増す。
更に、畝立て器等を装着するための嵌挿孔が、弾性体板である中間カバーに、通常時は閉口状に穿設されているので、畝立て器等を装着しない通常時において、嵌挿孔に土砂が入り込まず、均平効果を低減することがない。
そして、畝立て器等を装着した時には、該嵌挿孔には、弾性力にて中心方向への収縮力が働くので、畝立て器等の軸部を嵌挿した場合に、該軸部と嵌挿孔との間の隙間が発生せず、更にその収縮力にて該軸部を中間カバーが支持する構成となっており、シール等を施さなくても、容易に、簡単な構造で、畝立て器等が堅固に支持される。更に、装着時において、該軸部が連結支持体に囲まれる様態となり、該軸部を補強し、保護する部材となる。
【００２５】
また、請求項３の如く構成することにより、補助連結ロッドを左右寄りの位置にて連接カバーと接地カバーとの間に架設することで、該接地カバーの過度の左右揺動が抑制される。
また、補助連結ロッドは、ターンバックルによって前後長さを容易に調節可能であり、そして、連接カバーに対して、左右揺動可能に支持されている接地カバーが左右揺動することによって、左右寄りに位置する補助連結ロッドには捩れ力が加わるが、この捩れ力は、そのままターンバックルの回転作用に変換され、ロッドの伸縮にて吸収される。よって、捩れ力にて補助連結ロッドが変形したり、破損したりすることなく、左右揺動への追随性が良好な状態が保持できるのである。
また、中間カバーを側面視湾曲状とすることで、連接カバーに対して接地カバーが左右揺動するのに際して、中間カバーは、該湾曲部の曲率半径を変動させて変形して追随するので、接地カバーの左右揺動が円滑に行われるのである。
また、中間カバーの裏面に付着する土壌を容易に剥離して、後部カバーの均平効果を良好な状態に維持できるのである。
【図面の簡単な説明】
【図１】ロータリー耕耘装置における後部カバーの構成を示す側面一部断面図である。
【図２】後部カバー部分の側面断面図である。
【図３】後部カバーの部分平面図である。
【図４】連結支持体４による接地カバー３の支持構造を示す正面断面図である。
【図５】図３におけるＸ−Ｘ断面図である。
【図６】図３におけるＹ−Ｙ断面図である。
【図７】図３におけるＺ−Ｚ断面図である。
【符号の説明】
ＲＣ        後部カバーＲＣ
１          連接カバー
１ａ        上下回動軸
１ｂ        ブラケット
２          中間カバー
２ａ        嵌挿孔
３          接地カバー
３ａ        連結板部
３ｂ        ブラケット
４          連結支持体
４ａ        支持板部
５          連結部材
６          筒状弾性材
７          筒状ボス
８          ボルト
９          ナット
１０        補助連結ロッド
１２        耕耘カバー
１６        畝立て器
１６ａ      畝立て板
１６ｂ      軸部
１６ｃ      装着用ブラケット
【図１】
0003558724.tif 000002
【図２】
0003558724.tif 000003
【図３】
0003558724.tif 000004
【図４】
0003558724.tif 000005
【図５】
0003558724.tif 000006
【図６】
0003558724.tif 000007
【図７】
0003558724.tif 000008